(57)【要約】【課題】本発明は、豊富にある乳母車のいずれのサイズの乳母車であってもサイズを調節して１枚のカバーで対応することができる乳母車用カバーの提供を目的とする。【解決手段】走行形態を有する乳母車Ａの略全体が覆われる大きさに対応したカバー１の外周長さ、又は／及び、上下長さに調節可能とする例えばまち部材１２、又は、膨出部７０等で形成した調節手段を設けた乳母車用カバー１。【選択図】    図２
2004217082.tif 000002
【特許請求の範囲】
【請求項１】
走行形態を有する乳母車の略全体が覆われる大きさに対応したカバーの外周長さ、又は／及び、上下長さを調節可能にする調節手段を形成した
乳母車用カバー。
【請求項２】
長さ調節する方向に対して前記カバーを少なくとも２部材に分割し、
前記調節手段を、一方のカバー部材の分割縁と該分割縁の外側へ長さ調節する間隔ごとにまち部材を形成し、
該分割縁とまち部材の縁部にスライドファスナの一方の係合縁を添着し、
他方のカバー部材の分割縁に該スライドファスナの他方の係合縁で添着して、
前記一方のカバー部材の乳母車の長さに対応する前記スライドファスナの一方の係合縁と前記他方のカバー部材の前記スライドファスナの他方の係合縁との係合で長さ調節する
請求項１に記載の乳母車用カバー。
【請求項３】
前記調節手段を重合、又は、離間して長さ調節するまち部と該まち部の重合箇所を固定する固定手段で形成した
請求項１に記載の乳母車用カバー。
【請求項４】
前記調節手段を長さ調節する方向へ伸縮可能な膨出部と該膨出部を固定する
固定手段で形成した
請求項１に記載の乳母車用カバー。
【請求項５】
前記調節手段を外周部が放射状に伸縮可能とする弾性線状体で形成した
請求項１に記載の乳母車用カバー。
【請求項６】
前記調節手段を前記カバー外周部のまち部と前記カバー外周部沿いに設けた挿通孔と該カバーの外側と内側とを交互に該挿通孔へ挿通しながら外周部を囲む線状体で形成した
請求項１に記載の乳母車用カバー。
【発明の詳細な説明】
【０００１】
【発明の属する技術分野】
この発明は、例えば風雨や雪、排気ガス等の外的要因から乳幼児を保護するときに用いられるような乳母車用カバーに関する。
【０００２】
【従来の技術】
一般に乳幼児は成長が早くすぐに大きくなる為、例えばＡ型、Ｂ型の乳母車等様々なサイズの乳母車（ベビーカー）が販売されている。また、背面式、対面式等機能も多様化し、さらに、２人用、又は４から５人の複数人用の大型乳母車も含めると乳母車のサイズは豊富に存在する。
【０００３】
一方、上述のように豊富なサイズが存在するベビーカーに対して様々なサイズのベビーカーでも対応することができる乳母車用カバー（特許文献１参照）が提案されている。上記乳母車用カバーは、１人用乳母車の上面部、左右側面部、前面部に対応可能なサイズを備えて構成されるが、例えば複数人用の乳母車に被覆する場合は、前記乳母車用カバーを幅方向に並設した状態で被覆し、並設した乳母車用カバーが離間しないように固定具で乳母車のフレーム、及び、隣接する乳母車用カバーどうしを固定具で固定する。
【０００４】
しかし、上述した乳母車用カバーの場合、複数人用乳母車が許容する人数分に応じた同一の乳母車用カバー、及び、固定具を用意する必要があり効率的でなく、さらに、１人乗り用でサイズが異なる別の乳母車に対しては、予め乳母車用カバーのサイズが決まっているため対応することができないという問題点を有する。
【０００５】
【特許文献１】
特開平１３−２６０８９４号公報。
【０００６】
【発明が解決しようとする課題】
そこで、本発明では、豊富にある乳母車のいずれのサイズの乳母車であってもサイズを調節して１枚のカバーで対応することができる乳母車用カバーの提供を目的とする。
【０００７】
【課題を解決するための手段】
この発明は、走行形態を有する乳母車の略全体が覆われる大きさに対応したカバーの外周長さ、又は／及び、上下長さを調節可能にする調節手段を形成した乳母車用カバーであることを特徴とする。
【０００８】
カバーの外周長さとは、例えばカバーの幅、奥行き、又は、外周部の全長等をいう。上下長さとは、例えばカバーの高さに加え、裾部、及び、カバー上端部の高さ等をいう。
【０００９】
上述した調節手段を形成すれば、乳母車のサイズに対応したカバーを取付けることができる。
【００１０】
発明の形態として、長さ調節する方向に対して前記カバーを少なくとも２部材に分割し、前記調節手段を、一方のカバー部材の分割縁と該分割縁の外側へ長さ調節する間隔ごとにまち部材を形成し、該分割縁とまち部材の縁部にスライドファスナの一方の係合縁を添着し、該他方のカバー部材の分割縁に該スライドファスナの他方の係合縁で添着して、前記一方のカバー部材の乳母車の長さに対応する前記スライドファスナの一方の係合縁と前記他方のカバー部材の前記スライドファスナの他方の係合縁との係合で長さ調節する乳母車用カバーであることを特徴とする。
【００１１】
上述する構成により例えば２分割したカバーの乳母車への取り付けは、分割した一方のカバーを先に乳母車に被覆して分割していない側の端部を乳母車の端部にぴたりと合わせておく。このように被覆した状態の一方のカバーの分割縁側に形成するスライドファスナ係合縁のうち乳母車の幅に対応する部位に形成したスライドファスナ係合縁と、分割したもう片方の部材の係合縁を係合して取り付ければ長さ調節することができ、乳母車のサイズに合った一枚のカバーを形成することができる。
【００１２】
このように、並設するスライドファスナの一方の係合縁とまち部材を最低限の本数に抑えて２段階で調節できるように形成すれば乳母車用カバーのコストを抑えることができるが、複数並設して様々な乳母車の幅に対応可能に乳母車用カバーを形成してもよい。
【００１３】
さらに、例えば前記まち部材を乳母車の幅相当を備えて複数並設すれば、複数人用乳母車でも対応させることができる。なお、この構成の乳母車用カバーを１人用乳母車に被覆する場合には、不要なまち部をカバー内側へ折り返す、まち部を着脱可能に形成すれば邪魔にならない。
【００１４】
このように調節手段にスライドファスナを用いれば長い距離を開閉する場合でも、スライダで一気に開閉して容易に長さ調節作業をすることができ、しかも調節後は分割縁を連続的に閉じた状態とすることができるため、乳幼児をしっかりと外的要因から保護することができる。
【００１５】
なお、前記スライドファスナに換えて面ファスナ等他の固定手段で形成してもよい。例えば面ファスナで形成することで、該面ファスナを形成した幅内であれば、自由に幅調節して任意の幅になるように分割した部位どうしを結合できるため、より見栄えよくカバーを取り付けることができ、コストも安くすることができる。
【００１６】
他の好ましい発明の形態として、前記調節手段を重合、又は、離間して長さ調節するまち部と該まち部の重合箇所を固定する固定手段で形成することができる。
【００１７】
この形態の長さ調節は、例えばまち部のカバー内側への折込み量によって行うことができる。
【００１８】
前記固定手段は、面ファスナ、スライドファスナ、フォック、スナップ、マグネット等含む。
【００１９】
例えば、固定手段を面ファスナで形成すれば、まち部をカバー内側に必要量だけ折り込んで該まち部の重合箇所を該面ファスナで固定すればカバーの長さを縮めることができ、又は長さを伸ばすときには該面ファスナを離間してカバー内側に折り畳んだまち部のうち必要量だけ広げて長さを伸ばして再度固定手段で固定することができる。
【００２０】
さらに、他の好ましい発明の形態として、前記調節手段を長さ調節する方向へ伸縮可能な膨出部と該膨出部を固定する固定手段で形成することができる。
【００２１】
前記膨出部は少なくとも１つ以上並設することができる。例えば、長さ調節可能な幅が長い場合等は、膨出部を複数設け、１つ１つの膨出部の長さを短く蛇腹形状に形成すれば、収縮時にカバー内側への折り込み量も小さくすることができるためカバー内部の乳幼児は圧迫感を感じなくすることができる。
【００２２】
折り畳んだ膨出部を前記固定手段で固定してもよい。
【００２３】
前記固定手段も前述と同様の固定手段で形成することを含み、収納時に折り畳んだ膨出部が不用意に膨出して弛まないように固定するために形成することや、カバー内側へ突き出した膨出部が邪魔にならないようにカバー裏面へ傾倒させて固定するために形成することを含む。
【００２４】
前記膨出部には容易に、且つ、見栄えよく膨出、収縮が可能なようにタック（折癖）を形成してもよい。
【００２５】
さらに、前記調節手段を外周部が放射状に伸縮可能とする弾性線状体で形成することができる。
【００２６】
前記弾性線状体はゴム紐、スプリング等で形成することができ、特にカバーの裾部等に形成すれば、取り付けは線状体を伸ばして外周部を乳幼児が被覆可能な大きさに伸ばした状態で被覆し、乳母車の裾部で手を離せば受動的に乳母車と接触した外周部に応じて収縮するため容易に取り付けることができる。
【００２７】
他の好ましい発明の形態として、前記調節手段を前記カバー外周部のまち部と前記カバー外周部沿いに設けた挿通孔と該カバーの外側と内側とを交互に該挿通孔へ挿通しながら外周部を囲む線状体で形成することができる。
【００２８】
前記線状体を例えば紐部材で形成しカバー裾部の外周部に備え、上述と同様に乳母車の裾部で固定することができが、前記弾性線状態ではなくこのように紐部材で固定すれば該紐部材の結び具合で任意の強さで固定することができる。
【００２９】
また、上述した調節手段を備えた乳母車用カバーは、調節手段を互いに組合わせて形成する、あるいは、例えば幅と高さを一枚のカバーで調節できるように形成することを含む。
【００３０】
【発明の効果】
この発明によれば、カバーの外周長さ（カバーの幅や奥行き、又は、その両方）又は／及び、上下長さ（カバーの高さ、裾部位置等）を調節手段で調節できるため、サイズの異なる乳母車に対応させる場合には、例えば該調節手段のまち部、膨出部等を複数人用乳母車に対応する幅だけ備えた乳母車用カバーを形成すれば１枚のカバーで対応することができる。
【００３１】
複数人用乳母車に対応させる場合であっても上述した従来例のように、新たに人数分に応じた同一のカバーや固定具を用意する必要がないため、コストがかからず、取り付けも１枚づつ乳母車に被覆して固定具で取り付けていく必要もないため手間がかからない。
【００３２】
しかも、１人用乳母車のサイズが異なる乳母車どうしでも上述のようにカバーの長さ調節を行うことにより、１枚のカバーで対応することができ、例えばカバー購入時にも乳母車に対応するサイズを気にする必要もない。
【００３３】
特に前記調節手段で調節後、例えば固定手段で不要なまち部を固定することができるため、調節後のカバーも見栄えを保つことができる。
【００３４】
さらに、例えば、雨雪等天候によって乳母車用カバーの裾部の高さを調節すればカバー裾部が不用意に泥等で汚れることもない。
【００３５】
なお、前記調節手段は乳母車へカバーを被覆する前、被覆した後のいずれの場合であっても長さ調節可能であり、特に被覆した後に調節すると乳母車のサイズに適合する部位の固定手段で固定するだけで容易に調節することができる。
【００３６】
さらに、前記調節手段はカバーの長さを調節するためだけでなく折り畳む、分割等が可能なためカバーをコンパクトに収納するために使用することができる。
【００３７】
【発明の実施の形態】
この発明の一実施形態を、以下図面を用いて説明する。図面は乳母車用カバーを示し、まず、図１、図２、及び、図３において、左側面部カバー３ａと中央部カバー２との結合部で横幅を調節できる乳母車用カバー１を、該結合部で一方の部材である本体部カバー１０と、もう片方の部材の左側面カバー３ａとの２部材に分割する。
【００３８】
前記本体部カバー１０は透明色の合成樹脂材から成り、構成は中央部カバー２と右側面部カバー３ｂから形成する。該中央部カバー２は乳母車の前部、上部、後部（背部）が覆われる長さ及び横幅に形成し、右側面部カバー３ｂを、乳母車Ａの右側部が覆われる大きさ及び形状に形成すると共に、中央部カバー２上面の右側縁部と、右側面部カバー３ｂの上側縁部とを一体的に接合（例えば接着又は溶着、縫着等）して、乳母車Ａの略全体（底部以外の前部、上部、後部、両側部）が覆われる立体形状に形成している。また、中央部カバー２の前部右側縁部と右側面部カバー３ｂの前側縁部には上下方向にスライドして開閉するスライドファスナ６を添着している。
【００３９】
且つ、中央部カバー２の後側縁部に連設した後側フラップ２ａを、乳母車Ａを構成する座席部Ａａ及び背凭れ部Ａｂ（図３参照）の後面側が覆われる大きさ及び形状に形成し、中央部カバー２の前側縁部に連設した前側フラップ２ｂを、座席部Ａａ及びステップ部Ａｃの前面側が覆われる大きさ及び形状に形成している。また、乳母車Ａのステップ部Ａｃ下面に対して係止される方向に折り返して、走行時に於いて、例えば水や泥等が跳ね上がるのを防止することもできる。なお、右側面部カバー３ｂの上部にはネット材を用い側面からみて略丸形状の窓部７を形成して乳母車用カバー１の内部と外部とを通気する、及び、音声を伝わりやすくしている。
【００４０】
また、右側面部カバー３ｂの後側縁部に連設した後側フラップ３ｃを、背凭れ部Ａｂ後面と対向する状態に垂下された後側フラップ２ａが包み込まれる大きさ及び形状に形成している。且つ、右側面部カバー３ｂの後側フラップ３ｃの縁部上下方向の中央部には紐部材４を形成している。該紐部材４の長さは乳母車Ａの背面の左右方向の中央部で後述する左側面部カバー３ａにも形成する紐部材４と結び止められる長さで形成している。
【００４１】
さらに、前記中央部カバー２の左側縁部沿い、つまり前記本体部カバー１０の前記分割縁沿いにはスライドファスナ一方の係合縁１１ａを形成し、さらに、該分割縁から幅調節したい所定の幅を備えたまち部材１２を、前記スライドファスナ係合縁１１ａが覆い隠されないよう前記分割縁沿いに延設する。なお、該まち部材１２は乳母車用カバー１と同じ材質で同色の部材で形成している。そして、前記まち部材１２の長さ方向の縁部沿いにも、前記分割縁に添着したスライドファスナ係合縁１０と同形のスライドファスナ係合縁１１ｂを形成する。さらに、上述いずれのスライドファスナ係合縁１１ａ、１１ｂの上端部には後述する他方のスライドファスナ係合縁１１ｃに係合している後述するスライダ１１ｅを分離可能に係合するための開金具１１ｄ、１１ｄを形成する。
【００４２】
一方、左面側カバー３ａは、上述した本体部カバー１０との分割縁沿いには上述したスライドファスナ係合縁１１ａ、１１ｂのいずれかと係合する他方のスライドファスナ係合縁１１ｃを形成している。なお、該スライドファスナの係合縁１１ｃにはスライダ１１ｅが前記開金具１１ｄ、１１ｄに取り付け可能な方向で係合している。このように、前記スライドファスナ係合縁１１ａ、１１ｂのうち選択したいずれか一方と他方のスライドファスナ係合縁１１ｃとの係合で乳母車用カバー１の幅調節手段を形成している。
【００４３】
また、左側面カバー３ａの後側縁部には右側面部カバー３ｂと同様の大きさで左右対称形状の後側フラップ３ｃが連設している。且つ、紐部材４も右側面部カバー３ｂの紐部材１４に相当する同じ位置に同じ長さで形成し、左側面部カバー３ａの右側面部カバー３ｂの窓部７と対向する部位には窓部７も同様の形状に形成している。
【００４４】
以上のように構成する乳母車用カバー１の使用時には図２に示すごとく保護者は、まず本体部カバー１０のみを、乳母車Ａの上部、前部、右部、後部に被覆する。そして、被覆した本体部カバー１０を乳母車Ａの右側に軽く押しあて乳母車Ａの右側と右側面部カバー３ｂ間に弛みや隙間をなくした状態で、中央部カバー２左側端部に並設した２本のスライドファスナ係合縁１１ａ、１１ｂのうちに乳母車Ａの左側端部と近い方に位置するスライドファスナ係合縁１１ｂと左側面部カバー３ａのスライドファスナ係合縁１１ｃとを係合する。
【００４５】
このように、乳母車の幅に対応する位置にあるスライドファスナ係合縁１１ｂを選択してスライドファスナ係合縁１１ｃを係合することで乳母車用カバー１の幅が調節されたこととなる。
【００４６】
さらに、図３に示すごとく上述した中央部カバー２に形成する背凭れ部Ａｂ後面と対向する状態に垂下された後側フラップ２ａを左右側面部カバー３ａ、３ｂの後側フラップ３ｃ、３ｃで包み込み、該左右側面部カバー３ａ、３ｂに取り付けられた紐部材４で結び止めることができる。
【００４７】
また、上述したいずれの実施例における幅調節手段の如くスライドファスナ１１ａ、１１ｂ、１１ｃを用いることで連結部は隙間なく連続的に閉じることができ幼児を外的要因から確実に保護することができる。
【００４８】
なお、幅調節後に幼児の乗降等を行う場合は、例えば前記中央部カバー２前部の右側コーナー部に形成したスライドファスナ６を開口し、さらに、幅調節後に係合したスライドファスナ１１ｂ、１１ｃも中央部カバー２前部の左側コーナー部を開口すれば中央部カバー２前部が開放状態となり前側フラップ２ｂを捲り上げて幼児の乗降等をさせることができる。このように、幅調節に使用したスライドファスナ１１ｂ、１１ｃを乳幼児の世話や乗降等をするための開閉部としても用いることができる。
【００４９】
以上の手順により乳母車Ａの横幅にあった乳母車用カバー１を形成することができ、取り付けも上述した手順で容易に行うことができる。
【００５０】
また、図４に示す如く右側面部カバー３ｂと中央部カバー２も上述した実施例と同様に分割し、中央部カバー２の左側面カバー３ａとの分割縁に形成した前記まち部材１２、及び、スライドファスナ一方の係合縁１１ａ、１１ｂ等を中央部カバー２の右側面部カバー３ｂとの分割縁にも左右対称で形成するとともに、右側面部カバー３ｂの分割縁にも左側面カバー３ａと同様にスライドファスナ他方の係合縁１１ｃを形成する。このような構成を採れば、左右両側から４段階で幅を調節できる乳母車用カバー１を形成することができる。このように、スライドファスナ１１ａ、１１ｂ、１１ｃ及び、まち部材１２の本数、まち部材１２の幅、取り付け位置等の構成によっては、様々な種類の乳母車Ａでも被覆可能に対応することができる。
【００５１】
しかも、このように左右両側面部カバー３ａ、３ｂを分割することで、複数人用乳母車に被覆する場合も、該複数人用乳母車に対応する幅に対応できる幅を備え、且つ、左右の分割縁にスライドファスナ一方の係合縁１１ａ、１１ｂが一本づつ設けただけの中央部カバーを別途用意しておき、該中央部カバーに前記左右両側面部カバー３ａ、３ｂを取り付けるだけで複数人用乳母車でも対応することができる。これにより、新たに１人用乳母車カバー１を複数枚用意する場合と比べると無駄な部材を省いてコストを抑えることができ、且つ、乳母車への取り付けも容易に行うことができる。
【００５２】
なお、上述のスライドファスナ１１ａ、１１ｂ、１１ｃを形成せずにまち部材１２の表面に一方の面ファスナを添着し、左側面部カバー３ａ表面の分割縁沿いから内側の該一方の面ファスナと重合する部位にも他方の面ファスナを添着してもよい。このような構成を採れば、該面ファスナを任意の幅分だけを係合させて乳母車用カバー１の幅調節をすることができる。
【００５３】
以下、長さ調節が可能な乳幼児カバー１の他の実施の形態を示すが、先の実施の形態と同じ機能を持った構成要素は同じ符号を付してその説明を省略する。
【００５４】
好ましい他の実施例として図５に示すごとく中央部カバー２と右左側面部カバー３ａ、３ｂとの各連結部の両縁部表面には、該連結部の長さ方向に沿って略等間隔に５対の面ファスナ１３を分配して添着する。なお、該面ファスナ１３は、調節したい任意の長さを備えて形成し、面ファスナ１３を添着した幅寸法分に相当する連結部の両縁部が幅調節可能なまち部１４となる。よって、中央部カバー２の前部、及び、上部は幅調節したい一番大きなベビーカーＡの幅に相当する幅を備えて形成している。
【００５５】
以上の構成を採る乳母車用カバー１を、図６に示すごとく乳母車Ａの上方から覆い、乳母車Ａの幅に対して余分な中央部カバー２の左右コーナー部が弛む幅分だけ、前記まち部１４を、乳幼児カバー１内側へ折り込み重合したまち部１４を面ファスナ１３で係合することにより乳母車用カバー１の幅調節を行う。
【００５６】
このように面ファスナ１３を形成した幅以内であれば、任意の幅で幅調節を行うことができ、コストもかからない。
【００５７】
また、図７に示すごとくスライドファスナの一方の係合縁６０ａ、６０ａを中央部カバー２における後側フラップ２ａを除く左右端部沿いにそれぞれ添着し、さらに、スライドファスナの他方の係合縁６０ｂ、６０ｂはスライドファスナの一方の係合縁６０ａ、６０ａを添着した部位から後側フラップ２ａの付け根の左右端部まで乳母車用カバー１の左右方向の中心方向へそれぞれずらした位置で添着する。これにより、添着したスライドファスナの一方の係合縁６０ａ、６０ａとスライドファスナの他方の係合縁６０ｂ、６０ｂ間がまち部６１となる。
【００５８】
以上の構成を採る乳母車用カバー１を図８に示すごとく、乳母車Ａの上方から覆い、乳母車Ａの幅に対して余分な中央部カバー２の左右コーナー部が弛まないように前記まち部６１を乳母車用カバー１内側へ折り込み中央部カバー２左右コーナー部に位置する前記スライドファスナの一方の係合縁６０ａ、６０ａとスライドファスナの他方の係合縁６０ｂ、６０ｂをそれぞれ係合する。
【００５９】
以上により乳母車用カバー１の幅が調節されたこととなるが、さらに前記まち部６１に添着した前記スライドファスナの他方の係合縁６０ｂ、６０ｂと同形のスライドファスナの他方の係合縁６０ｂ、６０ｂを幅調節したい所望の本数、あるいは間隔を隔てて複数本並接すれば乳母車用カバー１はまち部６１の幅内であれば任意の幅調節を行うことができる。
【００６０】
また、前記まち部１４、６１の固定手段に上述のように面ファスナ１３やスライドファスナ６０で形成したり、あるいは、フォック、ステッチ等その他の固定手段で形成してもよく、さらに、該まち部１４、６１は固定手段を面ファスナ１３で形成した実施例のように中央部カバー２、及び、左右側面部カバー３ａ、３ｂに形成する、又は、スライドファスナ６０で形成した実施例のように中央部カバー２のみに形成したが、特定部位に限定せず乳母車用カバー１の長さ調節したい所望の部位に形成してもよい。
【００６１】
なお、この実施例の乳母車用カバー１を取り付けた状態での乳幼児の乗降は乳母車用カバー１を乳母車Ａから取り外しても可能であるが、中央部カバー２前部の幅方向の中心部に上下方向にかけてスライドファスナで開閉部を形成すれば乳幼児の乗降等も容易に行うことができる。
【００６２】
次に、他の実施形態として図９に示すごとく乳母車用カバー１を中央部カバー２、左右両側面部カバー３ａ、３ｂとに３分割し、分割した該中央部カバー２の上部及び前部の左右両縁部に谷折りに折り畳んで形成した膨出部７０（蛇腹状伸縮部）を左右それぞれ２つづつ並設してもよい。さらに、該膨出部７０の幅の中央部には長さ方向に沿ってタック１５（折癖）を形成し、該膨出部７０を折り畳むとタック１５を挟んで対抗する各部位のうち、膨出部７０の長さ方向にかけて等間隔に３等分配した各位置には一対の面ファスナ１６を添着している。
【００６３】
前記膨出部７０を設けた中央部カバー２の左右両縁部に右左側面部カバー３ａ、３ｂとそれぞれ係合するためにスライドファスナ一方の係合縁１７ａ、１７ａを形成し、該右左側面部カバー３ａ、３ｂの分割縁沿いにはそれぞれスライドファスナ他方の係合縁１７ｂ、１７ｂを形成している。
【００６４】
以上の構成を採用すれば前記膨出部７０を左右で４段階に幅調節することができる。例えば、図１０に示すごとく乳母車用カバー１を乳母車Ａに被覆し、乳母車の幅に対して乳母車用カバー１の余分な幅分は、前記膨出部７０を１つづつカバー内部へ谷折りして弛まないように面ファスナ１６で係合すれば収納することができる。このように、膨出部７０にはタック１５を形成しているため、容易に幅調節ができ、且つ、幅調節後も見栄えよく膨出部７０を収納できる。
【００６５】
また、乳幼児の世話や乗降を行う場合は第一実施例と同様に係合したスライドファスナを分離し、乳母車用カバー１を開口すれば作業を行うことができる。
【００６６】
なお、前記膨出部７０を中央部カバー２の内部へ折り込んだ際に中央部カバー２内部へ突き出した膨出部７０が邪魔になる場合は、膨出部７０を傾倒させて、固定するための面ファスナを中央部カバー２裏面の膨出部７０と重合する部位に添着してもよい。
【００６７】
さらに、本実施例の如く前記膨出部７０を中央部カバー２側に形成するのではなく右左側面部カバー３ａ、３ｂ側に形成してもよい。
さらに、他の実施形態として、図１１に示すごとくカバー裾部１８の外周部に沿ってゴム紐１９を添着して形成することができる。本実施形態の場合、上述した実施例で形成した左右側面部カバー３ｂ、及び、中央部カバー２には後側フラップ２ａ、３ｃ等は形成せず、中央部カバー２と左右側面部カバー３ａ、３ｂが中央部カバー２の前部、上部、背部において一体に立体構造で形成している。また、乳母車用カバー１を開閉するための開閉部２０は乳母車用カバー１前部上端部から左端部の裾部を除く部位にかけてスライドファスナ２１で形成している。なお、乳母車用カバー１を乳母車Ａに取り付けたときにハンドルが乳母車用カバー１の外側に突き出した状態となるように乳母車用カバー１背面上部には左右方向に窓部２２を形成している。
【００６８】
乳母車Ａへの取り付けは図１２に示すごとく乳母車用カバー１の裾部１８内側から乳母車Ａが被覆可能な大きさに手で開口した状態で乳母車Ａの上方から乳母車用カバー１を覆い、裾部１８が開口した状態のまま該裾部１８が乳母車Ａの踏み台Ａｃと車輪の間の位置まで乳母車用カバー１を下ろし、この位置で乳母車用カバー１から手を離せばゴム紐１９が収縮し、乳母車用カバー１の裾部１８は自動的に乳母車Ａのフレームと接触し、乳母車Ａのサイズに相当する大きさで取り付けることができる。以上の手順により乳母車用カバー１のサイズ調整が可能となり、しかも、乳母車用カバー１のカバー裾部１８が取り付いたときには、該裾部１８より上方の乳母車用カバー１内部には、空気が充填していることもあり、乳母車用カバー１全体としては一定の大きさを保ち型崩れしにくく見栄えよく取り付けることができる。
【００６９】
さらに、好ましい実施の形態として図１３に示すごとく図５、図６で示した実施例のカバー前面の左右コーナー部と左右側面部カバー３ａ、３ｂの前側縁部の下端部、及び、中央部には面ファスナ１３を添着せず、代わりにカバー裾部２５の外周部沿いに設けた挿通孔２６と乳母車用カバー１の外側と内側とを交互に該挿通孔２６へ挿通しながら外周部を囲む紐部材２７で形成することができる。
【００７０】
このような構成で乳母車用カバー１を形成すれば、紐部材２７の結び具合に応じてカバー裾部２５の外周部の長さを調節して乳母車Ａに取り付けることができ、さらに、面ファスナ１３の数を減らすことができるので長さ調節を行う場合、又は、カバーを乳母車Ａから取り外す場合には係合した複数の面ファスナ１３を引き離す数を減らすことができ紐部材２７を解放容易に作業を行うことができる。
【００７１】
上述の実施形態と、この発明の構成との対応において、
この実施形態の面ファスナ１３は、この発明の固定手段に対応し、
以下同様に、
ゴム紐１９は、弾性線状体に対応し、
紐部材２７は、線状体に対応するも、
この発明は、特に上述した実施例で採用した幅調節が可能な乳母車用カバー１に限らず、高さ、外周部等任意方向、又は位置へ調節でき、さらに、上述した異なる実施例の調節手段どうしを組合わせて乳母車用カバー１を形成する等上述の実施形態の構成のみに限定されるものではなく、多くの実施の形態を得ることができる。
【図面の簡単な説明】
【図１】乳母車用カバーの外観図。
【図２】乳母車用カバーを被覆した乳母車を示す斜視図。
【図３】側面部カバーの取り付け状態を示す背面図。
【図４】乳母車用カバーの他の例を示す外観図。
【図５】他の例の幅調節可能な乳母車用カバーを示す外観図。
【図６】他の例の幅調節可能な乳母車用カバーを被覆した乳母車を示す斜視図。
【図７】さらに他の例の幅調節可能な乳母車用カバーを示す外観図。
【図８】さらに他の例の乳母車用カバーを被覆した乳母車を示す斜視図。
【図９】手段の他の例の乳母車用カバーを示す外観図。
【図１０】手段の他の例の乳母車用カバーを被覆した乳母車を示す斜視図。
【図１１】さらに手段の他の例の乳母車用カバーを示す外観図。
【図１２】さらに手段の他の例の乳母車用カバーを被覆した乳母車を示す斜視図。
【図１３】図５の他の例の乳母車用カバーを被覆した乳母車を示す斜視図。
【符号の説明】
Ａ…乳母車
１…乳母車用カバー
２…中央部カバー
３ａ…左側面部カバー
３ｂ…右側面部カバー
１１ａ…スライドファスナ一方の係合縁
１１ｂ…スライドファスナ一方の係合縁
１１ｃ…スライドファスナ他方の係合縁
１２…まち部材
１４…まち部
６０ａ…スライドファスナ一方の係合縁
６０ｂ…スライドファスナ他方の係合縁
６１…まち部
７０…膨出部
１６…面ファスナ
１７ａ…スライドファスナ一方の係合縁
１７ｂ…スライドファスナ他方の係合縁
１９…ゴム紐
２７…紐部材
【図１】
2004217082.tif 000003
【図２】
2004217082.tif 000004
【図３】
2004217082.tif 000005
【図４】
2004217082.tif 000006
【図５】
2004217082.tif 000007
【図６】
2004217082.tif 000008
【図７】
2004217082.tif 000009
【図８】
2004217082.tif 000010
【図９】
2004217082.tif 000011
【図１０】
2004217082.tif 000012
【図１１】
2004217082.tif 000013
【図１２】
2004217082.tif 000014
【手続補正書】
【提出日】平成15年1月30日(2003.1.30)
【手続補正１】
【補正対象書類名】図面
【補正対象項目名】図１３
【補正方法】追加
【補正の内容】
【図１３】
2004217082.tif 000015